(57)【要約】【課題】薄型化を図ることができる電子機器及びテレビジョン受像機を提供する。【解決手段】一つの実施形態によれば、電子機器は、第１の面とこの第１の面とは反対側に位置された第２の面とを有したパネルと、前記パネルの第１の面を覆う第１の金属カバーと、前記パネルの第２の面を露出させる開口部が設けられ、前記第１の金属カバーに連結され、前記パネルの周面を囲うとともに、外部に露出された第２の金属カバーと、を備えている。【選択図】図３
2012138842.tif 000002
【特許請求の範囲】
【請求項１】
第１の面と、この第１の面とは反対側に位置された第２の面とを有したパネルと、
前記パネルの第１の面に向かう合うバックライトユニットと、
前記パネルと前記バックライトユニットとの間に介在されたフレーム部と、
前記バックライトユニットを覆うとともに、前記フレーム部との間に前記バックライトユニットを保持した第１の金属カバーと、
前記パネルの第２の面を露出させる開口部が設けられ、前記第１の金属カバーに連結され、前記パネルの周面を囲うとともに、外部に露出され、且つ、前記フレーム部との間に前記パネルを保持した第２の金属カバーと、
を備えたテレビジョン受像機。
【請求項２】
請求項１の記載において、
前記パネルは、前記第２の面に偏光板を有し、
前記第２の金属カバーは、弾性部材を介して前記偏光板を支持することで、当該第２の金属カバーと前記フレーム部との間に前記パネルを保持したテレビジョン受像機。
【請求項３】
請求項１または請求項２の記載において、
前記フレーム部は、金属製であるテレビジョン受像機。
【請求項４】
請求項１または請求項３の記載において、
前記フレーム部は、前記第１の金属カバーと前記第２の金属カバーとの間に挟持された固定部を有したテレビジョン受像機。
【請求項５】
請求項１または請求項４の記載において、
前記バックライトユニットは、導光板と、ライトバーとを有し、前記ライトバーは、前記導光板の側面に対向するように前記フレーム部に取り付けられたテレビジョン受像機。
【請求項６】
請求項５の記載において、
前記フレーム部は、金属製であり、前記ライトバーは、前記フレーム部に熱的に接続されたテレビジョン受像機。
【請求項７】
請求項１または請求項６の記載において、
前記パネルは、４つの辺を有した長方形状をしており、
前記第２の金属カバーは、前記パネルの４つの辺にそれぞれ対応した４つの分割パーツに分割して形成されたテレビジョン受像機。
【請求項８】
請求項７の記載において、
前記４つの分割パーツは、前記パネルの短辺に対応した第１の分割パーツを含み、
前記第１の金属カバーは、前記パネルの短辺に沿って延びたスリット部を有し、前記第１の分割パーツは、前記スリット部に係合可能なフックを有し、このフックを前記スリット部に挿入させるとともに、当該第１の分割パーツを前記パネルの短辺に沿ってスライドさせることで前記第１の金属カバーに取り付けられるテレビジョン受像機。
【請求項９】
請求項８の記載において、
前記４つの分割パーツは、前記パネルの長辺に対応した第２の分割パーツを含み、
前記第２の分割パーツは、前記第１の金属カバーと前記第２の金属カバーとの間の空間に突出した突出部を有し、この突出部に前記第１の金属カバーと結合されるためのねじが通される孔が設けられたテレビジョン受像機。
【請求項１０】
第１の面と、この第１の面とは反対側に位置された第２の面とを有したパネルと、
前記パネルの第１の面を覆う第１の金属カバーと、
前記パネルの第２の面を露出させる開口部が設けられ、前記第１の金属カバーに連結され、前記パネルの周面を囲うとともに、外部に露出された第２の金属カバーと、
を備えた電子機器。
【請求項１１】
請求項１０の記載において、
前記パネルは、前記第２の面に偏光板を有し、前記第２の金属カバーは、前記偏光板に向かい合うとともに、弾性部材を介して前記偏光板を支持した電子機器。
【発明の詳細な説明】
【技術分野】
【０００１】
本発明の実施形態は、テレビジョン受像機及び電子機器に関する。
【背景技術】
【０００２】
いくつかの電子機器は、パネルの背面を覆うバックカバーと、パネルの前面を覆うフロントカバーとを有する。
【先行技術文献】
【特許文献】
【０００３】
【特許文献１】特許第４０５１４６９号明細書
【発明の概要】
【発明が解決しようとする課題】
【０００４】
電子機器やテレビジョン受像機は、さらなる薄型化が要望されている。
【０００５】
本発明の目的は、薄型化を図ることができる電子機器及びテレビジョン受像機を提供することである。
【課題を解決するための手段】
【０００６】
実施形態によれば、電子機器は、第１の面とこの第１の面とは反対側に位置された第２の面とを有したパネルと、前記パネルの第１の面を覆う第１の金属カバーと、前記パネルの第２の面を露出させる開口部が設けられ、前記第１の金属カバーに連結され、前記パネルの周面を囲うとともに、外部に露出された第２の金属カバーと、を備えている。
【図面の簡単な説明】
【０００７】
【図１】第１実施形態に係るテレビジョン受像機の正面図。
【図２】図１中に示されたテレビジョン受像機の側面図。
【図３】図１中に示されたテレビジョン受像機の構成を模式的に示す分解斜視図。
【図４】図１中に示されたテレビジョン受像機のＦ４−Ｆ４線に沿う断面図。
【図５】図１中に示されたフロントカバーの斜視図。
【図６】図５中に示された第１の分割パーツの斜視図。
【図７】図５中に示された第２の分割パーツの斜視図。
【図８】図５中に示された第３の分割パーツの斜視図。
【図９】図５中に示された分割パーツの組み立ての一例を示す平面図。
【図１０】図５中に示された分割パーツの結合面の一例を示す斜視図。
【図１１】図５中に示された分割パーツの組み立ての他の一例を示す平面図。
【図１２】図５中に示された分割パーツの一つの変形例を示す平面図。
【図１３】第２実施形態に係るテレビジョン受像機の分割パーツを示す斜視図。
【図１４】図１３中に示された分割パーツのＦ１４−Ｆ１４線に沿う断面図。
【図１５】図１３中に示された分割パーツのＦ１５−Ｆ１５線に沿う断面図。
【発明を実施するための形態】
【０００８】
以下、実施の形態について、図面を参照して説明する。
【０００９】
（第１実施形態）  
図１乃至図１２は、第１実施形態に係るテレビジョン受像機１を開示している。テレビジョン受像機１は、電子機器の一例である。なお、本実施形態が適用可能な電子機器は、テレビジョン受像機に限られず、ノートブック型パーソナルコンピュータや、携帯電話、スマートフォン、ＰＤＡ(Personal Digital Assistant)、ゲーム機などを含む種々の電子機器に広く適用可能である。
【００１０】
図１及び図２に示すように、テレビジョン受像機１は、ディスプレイ本体２と、スタンド３とを備える。スタンド３は、例えばテレビ台の上に設置される。ディスプレイ本体２は、扁平状に形成されるとともに、略鉛直に起立した姿勢でスタンド３に支持される。
【００１１】
ディスプレイ本体２は、筐体４を備えている。筐体４は、前壁５、背壁６、及び周壁７を有する。前壁５は、略鉛直に起立するとともに、ユーザーに向かい合う。背壁６は、前壁５とは反対側に位置されるとともに、前壁５と略平行になるように略鉛直に起立している。周壁７は、前壁５の周縁部と背壁６の周縁部との間を繋いでいる。
【００１２】
周壁７は、上壁７ａ、下壁７ｂ、左側壁７ｃ（第１の側壁）、及び右側壁７ｄ（第２の側壁）を有する。上壁７ａ及び下壁７ｂは、それぞれ略水平に延びている。左側壁７ｃ及び右側壁７ｄは、それぞれ略鉛直に延びている。これにより扁平な長方形状の筐体４が形成されている。
【００１３】
図３に示すように、テレビジョン受像機１は、バックカバー１１、バックライトユニット１２、ミドルフレーム１３、液晶パネル１４、及びフロントカバー１５を有する。バックカバー１１は、「第１の金属カバー」の一例である。フロントカバー１５は、「第２の金属カバー」の一例である。ミドルフレーム１３は、「フレーム部」の一例である。液晶パネル１４は、「パネル」の一例である。なお「パネル」は、液晶以外のパネルであってもよい。
【００１４】
図３及び図４に示すように、液晶パネル１４は、背面１４ａ、前面１４ｂ、及び周面１４ｃを有する。背面１４ａは、「第１の面」の一例である。前面１４ｂは、「第２の面」の一例である。前面１４ｂは、背面１４ａとは反対側に位置され、表示画面１７を有する。周面１４ｃは、「第３の面」の一例である。周面１４ｃは、背面１４ａと前面１４ｂとの間に位置される。
【００１５】
液晶パネル１４は、４つの辺２１，２２，２３，２４を有した長方形状に形成されている。４つの辺２１，２２，２３，２４は、２つの長辺２１，２２と、２つの短辺２３，２４とを含む。図１に示すように、液晶パネル１４は、２つの長辺２１，２２を略水平にした姿勢で、筐体４内に収容されている。
【００１６】
図３に示すように、液晶パネル１４は、パネル本体２５と、このパネル本体２５に取り付けられたソース基板２６及びドライバＩＣ２７，２８とを有する。一方のドライバＩＣ２７は、ソースＣＯＦ(Chip On Film)である。他方のドライバＩＣ２８は、ゲートＣＯＦである。
【００１７】
図４に示すように、パネル本体２５は、液晶層３１と、２枚のガラス板３２，３３と、２枚の偏光板３４，３５（偏光フィルタ）とを有する。液晶層３１は、２枚のガラス板３２，３３に挟まれている。この２枚のガラス板３２，３３は、さらに２枚の偏光板３４，３５によって挟まれている。これにより２枚の偏光板３４，３５は、液晶パネル１４の最外部に位置され、外部にむき出しになっている。一つの偏光板３５は、液晶パネル１４の前面１４ｂに位置され、フロントカバー１５に向かい合っている。
【００１８】
図３に示すように、バックライトユニット１２は、液晶パネル１４の背面１４ａに向かい合う。バックライトユニット１２は、反射シート４１、導光板４２、第１のプリズムシート４３、第２のプリズムシート４４、偏光シート４５、及び一対のライトバー４６を有する。
【００１９】
反射シート４１は、導光板４２の背面に重ねられている。第１のプリズムシート４３は、反射シート４１とは反対側から導光板４２に重ねられている。第１のプリズムシート４３の上には、第２のプリズムシート４４が重ねられている。第２のプリズムシート４４の上には、偏光シート４５が重ねられている。換言すれば、第１のプリズムシート４３と偏光シート４５との間に、第２のプリズムシート４４が追加されている。
【００２０】
導光板４２は、液晶パネル１４に対応した長方形状を有する。すなわち導光板４２は、２つの長辺５１，５２と、２つの短辺５３，５４とを有するとともに、２つの長辺５１，５２を略水平にした姿勢で、筐体４内に収容される。
【００２１】
図３に示すように、ライトバー４６は、回路基板５６と、この回路基板５６の表面に実装された複数のＬＥＤ５７とを有し、バックライトユニット１２の光源となる。ライトバー４６は、例えば一対設けられ、導光板４２の両側に分かれて配置されている。ライトバー４６は、導光板４２の両短辺５３，５４にそれぞれ沿って配置されている。
【００２２】
図４に示すように、導光板４２は、短辺５３，５４に沿って延びた側面５８を有する。ライトバー４６は、導光板４２の側面５８に対向している。すなわち、導光板４２の側面５８に回路基板５６が略平行であり、複数のＬＥＤ５７が導光板４２の側面５８に対向している。
【００２３】
図３及び図４に示すように、バックカバー１１は、液晶パネル１４及びバックライトユニット１２よりも一回り大きく形成されている。バックカバー１１は、金属製、例えばアルミニウム合金製である。バックカバー１１は、バックライトユニット１２の背面側に設けられ、筐体４の背壁６を形成している。
【００２４】
バックカバー１１は、バックライトユニット１２を覆っている。さらに言えば、バックカバー１１は、バックライトユニット１２を間に介在させて、液晶パネル１４の背面１４ａを覆っている。図３に示すように、バックカバー１１の背面には、コントロール基板６１、ＬＥＤドライバ基板６２、及びそれらを覆うシールドケース６３，６４が取り付けられている。
【００２５】
図３及び図４に示すように、ミドルフレーム１３は、液晶パネル１４とバックライトユニット１２との間に介在されている。ミドルフレーム１３は、バックカバー１１及びフロントカバー１５とは別体に形成されている。ミドルフレーム１３は、金属製、例えばアルミニウム合金製である。ミドルフレーム１３は、例えば導光板４２の４つの辺５１，５２，５３，５４に対応した４つのパーツに分割されて形成されている。なおミドルフレーム１３は、枠状に形成されたひとつの部材であってもよい。
【００２６】
図４に示すように、ミドルフレーム１３は、支持部６６と、固定部６７とを有する。支持部６６は、液晶パネル１４とバックライトユニット１２との間に介在されている。支持部６６とバックライトユニット１２との間には、例えばゴムのような弾性部材６８が設けられている。支持部６６は、バックライトユニット１２をバックカバー１１に向いて押さえている。これにより、バックカバー１１とミドルフレーム１３との間に、バックライトユニット１２が保持されている。
【００２７】
ミドルフレーム１３の支持部６６には、さらに液晶パネル１４が載置される。支持部６６と液晶パネル１４との間には、例えばゴムのような弾性部材６９が設けられている。支持部６６は、弾性部材６９を介して液晶パネル１４を支持している。
【００２８】
固定部６７は、液晶パネル１４とバックライトユニット１２との間を外れた位置に設けられている。固定部６７は、バックカバー１１とフロントカバー１５との間に亘る大きさを有し、バックカバー１１とフロントカバー１５との間に挟持されている。これにより、ミドルフレーム１３は、バックカバー１１とフロントカバー１５との間に保持されている。
【００２９】
図４に示すように、ライトバー４６は、導光板４２の側面５８に対向するようにミドルフレーム１３に取り付けられている。具体的には、ライトバー４６の回路基板５６が、ミドルフレーム１３の固定部６７に例えばねじ止めで固定されている。これにより、ライトバー４６は、ミドルフレーム１３に熱的に接続されている。すなわちライトバー４６が発する熱の一部は、ミドルフレーム１３に伝わる。
【００３０】
図３に示すように、フロントカバー１５は、液晶パネル１４及びバックライトユニット１２よりも一回り大きく形成されている。フロントカバー１５は、金属製、例えばアルミニウム合金製である。フロントカバー１５は、液晶パネル１４の前面側に設けられるとともに、バックカバー１１に連結され、筐体４の前壁５と周壁７とを形成している。フロントカバー１５は、液晶パネル１４の表示画面１７を露出させる開口部７１が設けられ、枠状に形成されている。フロントカバー１５は、外装部材の一例であり、テレビジョン受像機１の外部に露出され、外観の一部を形成している。
【００３１】
図４に示すように、フロントカバー１５は、液晶パネル１４の偏光板３５に直接に向かい合っている。フロントカバー１５と偏光板３５との間には、例えばゴムのような弾性部材７２が設けられている。フロントカバー１５は、弾性部材７２を介して偏光板３５を支持している。これにより、フロントカバー１５とミドルフレーム１３との間に、液晶パネル１４が保持されている。
【００３２】
図４に示すように、フロントカバー１５は、雌ねじが設けられたねじ孔７３を有する。バックカバー１１及びミドルフレーム１３は、フロントカバー１５のねじ孔７３に対応する挿通孔７４，７５を有する。ねじ７６は、バックカバー１１の挿通孔７４及びミドルフレーム１３の挿通孔７５に通され、ねじ孔７３に係合している。これにより、バックカバー１１、ミドルフレーム１３、及びフロントカバー１５は、ねじ７６によって共締めされている。
【００３３】
ミドルフレーム１３は、それぞれ金属製のバックカバー１１及びフロントカバー１５に熱的に接続されている。これにより、ライトバー４６からミドルフレーム１３に伝わった熱の一部は、バックカバー１１及びフロントカバー１５に伝わり、テレビジョン受像機１の外部に放出される。バックカバー１１、ミドルフレーム１３、及びフロントカバー１５を共締めするねじ７６は、バックカバー１１、ミドルフレーム１３、及びフロントカバー１５を互いに熱的に接続する熱伝導経路の一部となる。
【００３４】
図４及び図５に示すように、フロントカバー１５は、液晶パネル１４の前面１４ｂに向かい合う第１部分１５ａと、この第１部分１５ａの周縁部から起立して後方に延びた第２部分１５ｂとを有する。第２部分１５ｂは、ディスプレイ本体２の略全厚に亘る大きさを有する。フロントカバー１５は、液晶パネル１４の周面１４ｃ、ミドルフレーム１３の周面７８、バックライトユニット１２の周面５９を囲んでいる。すなわち、フロントカバー１５の第１部分１５ａが筐体４の前壁５を形成している。さらにフロントカバー１５の第２部分１５ｂが筐体４の周壁７を形成している。
【００３５】
図５に示すように、フロントカバー１５は、液晶パネル１４の４つの辺２１，２２，２３，２４にそれぞれ対応した４つの分割パーツ８１，８２，８３，８４に分割して形成されている。本実施形態の分割パーツ８１，８２，８３，８４は、例えば互いに連結されて枠状のフロントカバー１５を形成してからバックカバー１１に組み合わされる。
【００３６】
４つの分割パーツ８１，８２，８３，８４は、一対の第１の分割パーツ８１，８２、第２の分割パーツ８３、及び第３の分割パーツ８４を含む。第１の分割パーツ８１，８２は、液晶パネル１４の２つの短辺２３，２４にそれぞれ対応している。第２の分割パーツ８３は、液晶パネル１４の上側の長辺２１に対応している。第３の分割パーツ８４は、液晶パネル１４の下側の長辺２２に対応している。
【００３７】
図６は、一方の第１の分割パーツ８１を示す。なお他方の第１の分割パーツ８２については、第１の分割パーツ８１と構造が略同じであるのでその説明は省略する。第１の分割パーツ８１は、第２の分割パーツ８３に連結される第１の端部８１ａと、第３の分割パーツ８４に連結される第２の端部８１ｂとを有する。
【００３８】
図７は、第２の分割パーツ８３を示す。第２の分割パーツ８３は、それぞれ第１の分割パーツ８１，８２に連結される端部８３ａ，８３ｂを有する。図８は、第３の分割パーツ８４を示す。第３の分割パーツ８４は、それぞれ第１の分割パーツ８１，８２に連結される端部８４ａ，８４ｂを有する。
【００３９】
図９は、第１の分割パーツ８１と第２の分割パーツ８３との結合部を示す。第１の分割パーツ８１と第２の分割パーツ８３とは、開口部７１の角部Ｃ１からフロントカバー１５の外側の角部Ｃ２に延びた斜めのラインで分割されている。
【００４０】
より詳しく述べると、図１０に示すように、第１の分割パーツ８１と第２の分割パーツ８３との分割面は、第１ラインＳ１と、第２ラインＳ２とを有する。第１ラインＳ１は、開口部７１の角部Ｃ１から第１及び第２の分割パーツ８１，８３の途中まで延びている。第２ラインＳ２は、第１ラインＳ１の端から第１ラインＳ１に対して折れ曲がり、第１ラインＳ１に交差する方向でフロントカバー１５の角部Ｃ２まで延びている。互いに延びる方向が異なる２つのラインＬ１，Ｌ２を上記分割面が有することで、第１の分割パーツ８１と第２の分割パーツ８３とを合わせた時に、両者が互いにずれにくくなる。
【００４１】
さらに図１０に示すように、第１の分割パーツ８１は、係合部８６を有する。係合部８６は、例えば第２の分割パーツ８３に向いて突出した突起である。第２の分割パーツ８３は、被係合部８７を有する。被係合部８７の一例は、上記突起が挿入されるスリットである。第１の分割パーツ８１の係合部８６が、第２の分割パーツ８３の被係合部８７に係合することで、両者の位置合わせをスムーズに行うことができるととともに、両者を合わせた時に両者が互いにずれにくくなる。
【００４２】
なお、第１の分割パーツ８１に被係合部８７を設けるとともに、第２の分割パーツ８３に係合部８６を設けてもよい。上記第１ラインＳ１及び第２ラインＳ２、並びに係合部８６及び被係合部８７は、第１の分割パーツ８１と第３の分割パーツ８４との結合面にも設けられている。
【００４３】
第１の分割パーツ８１，８２は、当該第１の分割パーツ８１，８２の長手方向に延びた溝や壁を有するとともに、長手方向に交差する方向に延びた溝や壁は有しない。第２の分割パーツ８３は、当該第２の分割パーツ８３の長手方向に延びた溝や壁を有するとともに、長手方向に交差する方向に延びた溝や壁は有しない。第１の分割パーツ８１，８２及び第２の分割パーツ８３は、それぞれ例えば押出し加工で主要部が形成されるとともに、切削加工で細部が形成されている。
【００４４】
図１１は、第１の分割パーツ８１と第３の分割パーツ８４との結合部を示す。第３の分割パーツ８４は、部品収容領域８８を有する。部品収容領域８８は、第３の分割パーツ８４とバックカバー１１との間に機能部品８９が収容される空間を規定する。部品収容領域８８に収容される機能部品８９の一例は、例えばスピーカや、液晶パネル１４またはバックライトユニット１２を下方から支持する支持部材、またはねじのような各種の固定部材が該当するが、これらに限定されるものではない。
【００４５】
第１の分割パーツ８１と第３の分割パーツ８４との分割面は、第１の開口部７１の角部Ｃ３から部品収容領域８８の角部Ｃ４まで延びた第１ラインＳ３と、部品収容領域８８に沿って延びた第２ラインＳ４と、部品収容領域８８の他の角部Ｃ５からフロントカバー１５の外側の角部Ｃ６に延びた第３ラインＳ５とで分割されている。
【００４６】
すなわち、第１の分割パーツ８１の長手方向に延びた２つの側辺の延長線Ｌ１，Ｌ２と、第３の分割パーツ８４の長手方向に延びた２つの側辺の延長線Ｌ３，Ｌ４とで囲まれた領域において、部品収容領域８８を避けるラインで第１の分割パーツ８１と第３の分割パーツ８４とが分割されている。
【００４７】
第３の分割パーツ８４は、当該第３の分割パーツ８４の長手方向に延びた溝や壁を有するとともに、長手方向に交差する方向に延びた溝や壁は有しない。第３の分割パーツ８４は、例えば押出し加工で主要部が形成されるとともに、切削加工で細部が形成されている。
【００４８】
図１２は、フロントカバー１５の一つの変形例を示す。図１２に示すように、第１の分割パーツ８１及び第３の分割パーツ８４は、第１の分割パーツ８１の長手方向に延びた２つの側辺の延長線Ｌ１，Ｌ２と、第３の分割パーツ８４の長手方向に延びた２つの側辺の延長線Ｌ３，Ｌ４とで囲まれた領域において分割されている。第１の分割パーツ８１は、当該第１の分割パーツ８１の長手方向に延びた溝や壁を有するとともに、長手方向に交差する方向に延びた溝や壁は有しない。第３の分割パーツ８４は、当該第３の分割パーツ８４の長手方向に延びた溝や壁を有するとともに、長手方向に交差する方向に延びた溝や壁は有しない。第１の分割パーツ８１及び第３の分割パーツ８４は、それぞれ例えば押出し加工で主要部が形成されるとともに、切削加工で細部が形成されている。
【００４９】
このような構成によれば、テレビジョン受像機１の薄型化を図ることができる。  
比較のため、テレビジョン受像機の一例を考える。あるテレビジョン受像機は、合成樹脂製のバックカバーと、合成樹脂製のフロントカバーと、バックカバーとフロントカバーとの間に収容されたパネルセットとを有する。パネルセットは、バックライトユニットと、樹脂製のミドルフレームと、液晶パネルと、当該パネルセットに強度を与えるための金属製のベゼル（以下、金属ベゼル）とを有する。金属ベゼルは、例えば液晶パネルの縁部を囲う枠状に形成され、液晶パネル１４の４つの辺を覆っている。金属ベゼルは、液晶パネルとフロントカバーとの間に介在され、外部には露出されていない。
【００５０】
一方、本実施形態のテレビジョン受像機１は、液晶パネル１４と、液晶パネル１４の背面１４ａを覆う金属製のバックカバー１１と、液晶パネル１４の前面１４ｂを露出させる開口部７１が設けられ、バックカバー１１に連結され、液晶パネル１４の周面１４ｃを覆うとともに、外部に露出された金属製のフロントカバー１５とを有する。
【００５１】
すなわち、本実施形態のテレビジョン受像機１は、それぞれ金属製のバックカバー１１とフロントカバー１５とによって必要な強度を確保することで、パネルセットの金属ベゼルの省略を可能にしたものである。すなわち本実施形態のテレビジョン受像機１は、金属ベゼルを設けることでパネルセット自体で強度を確保するといった思想から転換し、パネルセットに本来必要とされる強度をバックカバー１１やフロントカバー１５で補い、個々のユニットではなく、テレビジョン受像機という機器全体で必要な強度を確保することを目指したものである。これにより、少なくとも金属ベゼルを省略した分だけ、液晶パネル１４とフロントカバー１５とを互いに近付けることができ、テレビジョン受像機１の薄型化を図ることができる。
【００５２】
本実施形態では、フロントカバー１５は、液晶パネル１４の偏光板３５に向かい合うとともに、弾性部材７２を介して偏光板３５を支持している。すなわちフロントカバー１５によって直接に液晶パネル１４を支持する構造であるので、液晶パネル１４の固定や保持に必要な部材を少なくすることができる。これは、テレビジョン受像機１の薄型化に寄与する。
【００５３】
本実施形態では、フロントカバー１５と、バックカバー１１と、ミドルフレーム１３とによって、液晶パネル１４及びバックライトユニット１２がそれぞれ保持されている。これによれば、液晶パネル１４及びバックライトユニット１２の固定や保持に必要な部材を少なくすることができる。これは、テレビジョン受像機１の薄型化に寄与する。
【００５４】
本実施形態では、ミドルフレーム１３は、金属製である。これによれば、ミドルフレーム１３によって、液晶パネル１４及びバックライトユニット１２を保持するための強度の一部が確保されるので、バックカバー１１及びフロントカバー１５を薄くすることができる。これにより、テレビジョン受像機１の薄型化をさらに図ることができる。
【００５５】
本実施形態では、ミドルフレーム１３の固定部６７は、バックカバー１１とフロントカバー１５との間に挟持されている。これによれば、バックカバー１１とフロントカバー１５とによってミドルフレーム１３を保持することができるので、ミドルフレーム１３の固定や保持に必要な部材を少なくすることができる。これは、テレビジョン受像機１の薄型化に寄与する。
【００５６】
本実施形態では、ライトバー４６は、導光板４２の側面５８に対向するようにミドルフレーム１３に取り付けられている。これによれば、ライトバー４６の固定や保持に必要な部材を少なくすることができる。これはテレビジョン受像機１の薄型化に寄与する。
【００５７】
ライトバー４６は、発熱量が大きい。本実施形態では、ライトバー４６は、金属製のミドルフレーム１３に熱的に接続されている。これによれば、金属製のミドルフレーム１３がライトバー４６の熱の一部を放出するヒートシンクとして機能するので、ライトバー４６の放熱性が良好であるとともに、ライトバー４６用に設けられる専用のヒートシンクを省略または小さくすることができる。これはテレビジョン受像機１の薄型化に寄与する。
【００５８】
さらに本実施形態では、ミドルフレーム１３は、それぞれ金属製のバックカバー１１及びフロントカバー１５に熱的に接続されている。これにより、ライトバー４６の熱の一部は、バックカバー１１及びフロントカバー１５からテレビジョン受像機１の外部に放出される。これにより、ライトバー４６の放熱構造を簡略化することができる。これはテレビジョン受像機の薄型化に寄与する。
【００５９】
液晶パネル１４は熱に弱く、例えば局所的に熱くなると、その部分だけ映像が異なるなど不具合を生じる可能性がある。本実施形態では、ミドルフレーム１３と液晶パネル１４との間に弾性部材６９が設けられ、ミドルフレーム１３と液晶パネル１４との間に隙間が空けられている。この弾性部材６９により、ミドルフレーム１３の熱が液晶パネル１４に伝わりにくくなっている。
【００６０】
液晶パネル１４の偏光板３４は、大きく熱膨張すると、偏光板としての機能が低下してしまう。本実施形態では、弾性部材６９により、ミドルフレーム１３の熱が偏光板３４に伝わりにくくなっている。同様に、弾性部材６８によりミドルフレーム１３の熱がバックライトユニット１２に伝わりにくくなっている。さらに弾性部材７２により、フロントカバー１５の熱が液晶パネル１４の偏光板３５に伝わりにくくなっている。
【００６１】
本実施形態では、フロントカバー１５は、液晶パネル１４の４つの辺２１，２２，２３，２４にそれぞれ対応した４つの分割パーツ８１，８２，８３，８４に分割して形成されている。これによれば、材料歩留まりが向上し、コスト低減を図ることができる。
【００６２】
（第２実施形態）  
次に、第２実施形態に係るテレビジョン受像機１について、図１３乃至図１５を参照して説明する。なお上記第１実施形態の構成と同一または類似の機能を有する構成は、同一の符号を付してその説明を省略する。また、下記に説明する以外の構成は、上記第１実施形態と同じである。本実施形態は、フロントカバー１５及びバックカバー１１の構造が上記第１実施形態と異なる。
【００６３】
図１３に示すように、バックカバー１１は、左右の端部に、例えば複数の被係合部９１を有する。被係合部９１は、バックカバー１１の背面９２に対して起立した起立壁９３と、この起立壁９３に設けられたスリット部９４とを有する。スリット部９４は、液晶パネル１４の短辺２３，２４に沿って鉛直方向に延びている。スリット部９４は、鉛直方向の上端部が開放されているとともに、下端部は起立壁９３によって塞がれている。
【００６４】
図１３に示すように、本実施形態に係るフロントカバー１５は、４つの分割パーツ８１，８２，８３，８４が分解された状態で、それぞれバックカバー１１に個別に取り付けられる。まず、第３の分割パーツ８４が例えばねじ止めでバックカバー１１に固定される。次に、第１の分割パーツ８１，８２がバックカバー１１に固定される。
【００６５】
図１３及び図１４に示すように、第１の分割パーツ８１，８２は、フロントカバー１５の第１部分１５ａを形成する第１壁９５と、フロントカバー１５の第２部分１５ｂを形成する第２壁９６とを有する。この第２壁９６には、バックカバー１１の被係合部９１に係合する係合部としてのフック９７が設けられている。フック９７は、被係合部９１のスリット部９４に係合可能である。
【００６６】
図１４に示すように、フック９７は、スリット部９４に挿入される第１部分９７ａと、この第１部分９７ａの先端部から折れ曲がり、バックカバー１１の起立壁９３の内面に沿う第２部分９７ｂとを有する。第１の分割パーツ８１は、フック９７をスリット部９４に挿入させるとともに、液晶パネル１４の短辺２３，２４に沿ってスライドさせることでバックカバー１１に取り付けられる。
【００６７】
第２の分割パーツ８３は、第１及び第３の分割パーツ８１，８２，８４が取り付けられた後に、バックカバー１１に固定される。図１３及び図１５に示すように、第２の分割パーツ８３は、フロントカバー１５の第１部分１５ａを形成する第１壁１０１と、フロントカバー１５の第２部分１５ｂを形成する第２壁１０２とを有する。この第２壁１０２には、バックカバー１１とフロントカバー１５との間の空間に突出した第１の突出部１０３を有する。この第１の突出部１０３には、バックカバー１１と結合されるためのねじ１０４が通されるねじ孔１０３ａが設けられている。ねじ孔１０３ａは、雌ねじが設けられている。
【００６８】
図１３及び図１５に示すように、第１の分割パーツ８１，８２は、第２の分割パーツ８３の第１の突出部１０３と、バックカバー１１との間に介在される第２の突出部１０５を有する。第２の突出部１０５は、ねじ１０４が通される挿通孔１０５ａが設けられている。バックカバー１１は、ねじ１０４が通される挿通孔１０６が設けられている。
【００６９】
ねじ１０４は、バックカバー１１及び第２の突出部１０５の挿通孔１０６，１０５ａに通され、第１の突出部１０３のねじ孔１０３ａに係合される。これにより、バックカバー１１、第１の分割パーツ８１、及び第２の分割パーツ８３が、ねじ１０４によって共締めされる。これにより、第２の分割パーツ８３がバックカバー１１に固定される。
【００７０】
第２の分割パーツ８３の端部８３ａ，８３ｂは、第１の分割パーツ８１，８２に上方から対向する。これにより、第１の分割パーツ８１，８２が上方に抜けなくなる。ねじ１０４は、第１の分割パーツ８１，８２のスライド方向とは略直交する方向に沿ってねじ孔１０４に係合している。
【００７１】
このような構成によれば、第１実施形態と同様に、テレビジョン受像機１の薄型化を図ることができる。
【００７２】
本実施形態では、バックカバー１１は、液晶パネル１４の短辺２３，２４に沿って延びたスリット部９４を有する。第１の分割パーツ８１は、スリット部９４に係合可能なフック９７を有し、このフック９７をスリット部９４に挿入させるとともに、液晶パネル１４の短辺２３，２４に沿ってスライドさせることでバックカバー１１に取り付けられる。
【００７３】
これによれば、第１の分割パーツ８１，８２を固定するためのねじを省略または少なくすることができる。本実施形態の第１の分割パーツ８１，８２は、ねじを用いずに取り付け可能である。このような構成によれば、液晶パネル１４と第１の分割パーツ８１，８２との間に必要な隙間を小さくすることができるので、テレビジョン受像機１の横幅を小さくすることができる。
【００７４】
本実施形態では、第２の分割パーツ８３は、バックカバー１１とフロントカバー１５との間の空間に突出した突出部１０３を有し、この突出部１０３にバックカバー１１と結合されるためのねじ１０４が通されるねじ孔１０３ａが設けられている。これによれば、バックカバー１１とフロントカバー１５との間の空間を利用して両者が固定されるので、テレビジョン受像機１の薄型化をさらに図ることができる。
【００７５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００７６】
なお、フレーム部（ミドルフレーム１３）は、第１の金属カバー（バックカバー１１）、及び第２の金属カバー（フロントカバー１５）のいずれか一方と一体に形成されてもよい。ミドルフレーム１３は、少なくともライトバー４６が取り付けられる部分が金属製であれば、他の部分が金属以外の材料で形成されても放熱を促進することができる。またミドルフレーム１３の全体を金属以外の材料で形成してもよい。ミドルフレーム１３の形状や固定構造は、上記に限定されるものではない。フロントカバー１５は、４つの分割パーツ８１，８２，８３，８４に分割されている必要はなく、枠状に形成されてもよい。
【符号の説明】
【００７７】
１…テレビジョン受像機、１１…バックカバー、１２…バックライトユニット、１３…ミドルフレーム、１４…液晶パネル、１４ａ…背面、１４ｂ…前面、１５…フロントカバー、３５…偏光板、６７…ミドルフレームの固定部、７２…弾性部材、８１，８２，８３，８４…分割パーツ、８１，８２…第１の分割パーツ、８３…第２の分割パーツ、９４…スリット部、９７…フック、１０３…突出部、１０３ａ…ねじ孔、１０４…ねじ。
【図１】
2012138842.tif 000003
【図２】
2012138842.tif 000004
【図３】
2012138842.tif 000005
【図４】
2012138842.tif 000006
【図５】
2012138842.tif 000007
【図６】
2012138842.tif 000008
【図７】
2012138842.tif 000009
【図８】
2012138842.tif 000010
【図９】
2012138842.tif 000011
【図１０】
2012138842.tif 000012
【図１１】
2012138842.tif 000013
【図１２】
2012138842.tif 000014
【図１３】
2012138842.tif 000015
【図１４】
2012138842.tif 000016
【図１５】
2012138842.tif 000017